(57)【要約】      （修正有）【課題】電源のない場所で使用でき、しかも介護者が付き添っていなくても被介護者が自分でベッドを傾斜させて床擦れを防止できる介護用ベッド装置を安価に提供する。【解決手段】被介護者の頭部を支持する頭部支持台、被介護者の胴部を支持する胴部支持台および、被介護者の脚部を支持する脚部支持台と、各支持台の両側端部にそれぞれ立設された頭部側板２１、２２、胴部側板９、１０、および脚部側板１２と、を有するベッド１を、その長手方向に延在する水平軸線周りに横向に揺動可能に支持する基台２と、ベッドをその長手方向に延在する水平軸線周りに横向に揺動させる揺動機構と、を具えてなり、揺動機構は、被介護者の手が届く範囲に配置されてベッドと一緒に揺動するとともに、被介護者の人力を入力されて回転する揺動用ハンドル６１から伝動機構および減速機構６４を介して回転を入力されてベッドを横向に揺動させるベッド駆動機構と、を有する。【選択図】図１
2013132399.tif 000002
【特許請求の範囲】
【請求項１】
被介護者の頭部を支持する頭部支持台、被介護者の胴部を支持する胴部支持台および、被介護者の脚部を支持する脚部支持台と、
前記各支持台の両側端部にそれぞれ立設された、前記頭部支持台が斜め横向きに揺動した状態で被介護者の頭部を支持する頭部側壁、前記胴部支持台が斜め横向きに揺動した状態で被介護者の胴部を支持する胴部側壁および、前記脚部支持台が斜め横向きに揺動した状態で被介護者の脚部を支持する脚部側壁と、
を有するベッドと、
前記ベッドをその長手方向に延在する水平軸線周りに横向に揺動可能に支持する基台と、
前記ベッドをその長手方向に延在する前記水平軸線周りに横向に揺動させる揺動機構と、
を具えてなり、
前記揺動機構は、
被介護者の手が届く範囲に配置されて前記ベッドと一緒に揺動するとともに、被介護者の人力を入力されて回転する揺動用ハンドルと、
前記揺動用ハンドルから伝動機構および減速機構を介して回転を入力されて前記ベッドを横向に揺動させるベッド駆動機構と、
を有するものである揺動式介護ベッド装置。
【請求項２】
前記頭部支持台および前記胴部支持台をその胴部支持台の、前記脚部支持台寄りの端部付近を中心として水平位置と起き上がり位置との間で揺動させる起き上がり機構を具え、
前記起き上がり機構は、
被介護者の手が届く範囲に配置されて前記ベッドと一緒に揺動するとともに、被介護者の人力を入力されて回転する起き上がり用ハンドルと、
前記起き上がり用ハンドルから伝動機構および減速機構を介して回転を入力されて前記頭部支持台および前記胴部支持台を揺動させる起き上がり駆動機構と、
を有するものである、請求項１に記載の揺動式介護ベッド装置。
【請求項３】
前記伝動機構はフレキシブルシャフトであることを特徴とする、請求項１または２記載の揺動式介護ベッド装置。
【請求項４】
前記揺動用ハンドルおよび前記起き上がり用ハンドルの少なくとも一方の、前記ベッドに対する位置を調節するハンドル位置調節機構を具えることを特徴とする、請求項１から３までのいずれか１項記載の揺動式介護ベッド装置。
【請求項５】
前記起き上がり機構の前記起き上がり用ハンドルは、前記ベッドに対する所定位置に支持されて被介護者の手が届く範囲に配置され、被介護者の人力を入力されて回転するものである、請求項１から３までのいずれか１項記載の揺動式介護ベッド装置。
【発明の詳細な説明】
【技術分野】
【０００１】
本発明は、被介護者の床擦れを容易に防止し得る揺動式介護ベッド装置に関し、特には被介護者が自分で駆動できる揺動式介護ベッド装置に関するものである。
【背景技術】
【０００２】
本発明者は、２０年程前からほとんど仰向けに寝ることができず、常に左向か右向の横向にならないと寝ることができなくなった。その後、６年程前にベッドに寝ていて、そのベッドを常に左右に傾ければ寝返りを打つのと同じではないかとふと思い付き、早速、試作品を作って試してみたところ、いろいろ試作錯誤をした結果成功にこぎつけた。
【０００３】
当初は、ベッドは８０度ないし９０度傾けなければ効果がないと思い込んでいたが、実験を繰り返す内に、ベッドは３０度前後傾ければ、寝返りを打ったのと同じ効果があることが分かった。また、ベッドが左右に傾いて元に戻るまでの時間は、大体５分程度がちょうど良いことが分かった。
本発明者が病院で聞いたところ、寝たきり患者の床擦れを防ぐためには、２，３人の看護師が３時間置きに寝返りをさせていると話していた。
本発明は、このような介護者の負担をなくすことができ、しかも寝たきり患者等の被介護者の床擦れ防止に非常に役に立つものである。
【０００４】
ところで、被介護者に寝返りを打たせる介護用ベッド装置としては従来、例えば、特許文献１にて開示されたものが知られている。
この介護用ベッド装置は、マットが敷かれた昇降ベッドの左右部分の下にそれぞれ昇降シリンダが設けられており、左右の昇降シリンダを同時に上昇させることで昇降ベッドを水平に持ち上げてその下に便器を挿入できるようにし、また左右の昇降シリンダを片方だけ上昇させることで昇降ベッドを横向に傾斜させて被介護者に寝返りを打たせるというものである。
【先行技術文献】
【特許文献】
【０００５】
【特許文献１】特開２００９−０８２３８８号公報
【発明の概要】
【発明が解決しようとする課題】
【０００６】
しかしながら、上記特許公報に記載の既知の介護用ベッド装置はベッドを揺動させるための油圧ポンプ等が不可欠で製造費用が嵩むとともに電源のない場所で使用できないという問題があり、この問題の解決のためには、ベッドフレーム端部にクランクを設けて人手でベッドを揺動させることも考えられるが、このようにすると介護者が付き添っていないとベッドを揺動させられないという新たな問題が生じてしまう。
それゆえ本発明の目的は、電源のない場所で使用でき、しかも介護者が付き添っていなくても被介護者が自分でベッドを傾斜させて床擦れを防止できる介護用ベッド装置を安価に提供することにある。
【課題を解決するための手段】
【０００７】
本発明者は、上記の従来技術が抱えている上述した問題点を克服することができ、かつ上記目的を確実に実現することができる技術について鋭意研究を行った結果、下記の要旨構成に係る本発明に想到した。
【０００８】
即ち、本発明の揺動式介護ベッド装置は、被介護者の頭部を支持する頭部支持台、被介護者の胴部を支持する胴部支持台および、被介護者の脚部を支持する脚部支持台と、前記各支持台の両側端部にそれぞれ立設された、前記頭部支持台が斜め横向きに揺動した状態で被介護者の頭部を支持する頭部側壁、前記胴部支持台が斜め横向きに揺動した状態で被介護者の胴部を支持する胴部側壁および、前記脚部支持台が斜め横向きに揺動した状態で被介護者の脚部を支持する脚部側壁と、を有するベッドと、前記ベッドをその長手方向に延在する水平軸線周りに横向に揺動可能に支持する基台と、前記ベッドをその長手方向に延在する前記水平軸線周りに横向に揺動させる揺動機構と、を具えてなり、前記揺動機構が、被介護者の手が届く範囲に配置されて前記ベッドと一緒に揺動するとともに、被介護者の人力を入力されて回転する揺動用ハンドルと、前記揺動用ハンドルから伝動機構および減速機構を介して回転を入力されて前記ベッドを横向に揺動させるベッド駆動機構と、を有することを特徴とするものである。
【発明の効果】
【０００９】
本発明の揺動式介護ベッド装置によれば、長手方向に延在する水平軸線周りに横向に揺動可能に基台によって支持されたベッドが有する頭部支持台と胴部支持台と脚部支持台とが、ベッドに仰向けに寝た被介護者の少なくとも頭部と胴部と脚部とをそれぞれ支持した状態で、揺動機構が、ベッドをその長手方向に延在する水平軸線周りに横向に揺動させて頭部支持台と胴部支持台と脚部支持台とを左右の横向に例えば３０度程度まで傾斜させるので、被介護者が寝返りを打ったのと同じように被介護者の被圧迫部位を反対側へ移す効果があり、これにより被介護者の床擦れを有効に防止することができる。もちろん被介護者は、ベッドの傾斜を助けにして実際に寝返りを打っても良い。
【００１０】
しかも本発明の揺動式介護ベッド装置によれば、ベッドを揺動させて頭部支持台と胴部支持台と脚部支持台とを横向に傾斜させた際に、頭部支持台の両側端部に立設された頭部側壁がベッドに仰向けに寝た被介護者の頭部を支持し、胴部支持台の両側端部に立設された胴部側壁がベッドに仰向けに寝た被介護者の胴部を支持し、脚部支持台の両側端部に立設された脚部側壁がベッドに仰向けに寝た被介護者の脚部を支持するので、被介護者はベッドからずれ落ちることがなく、それゆえ被介護者は、ベッドから落下する恐怖を覚えることなく安心してベッドを傾斜させることができる。
【００１１】
そして本発明の揺動式介護ベッド装置によれば、ベッドに仰向けに寝た被介護者が、その手が届く範囲に配置されてベッドと一緒に揺動する揺動用ハンドルを掴んでその腕で回転させると、ベッド駆動機構が、被介護者の人力を入力されて回転する揺動用ハンドルから、伝動機構および減速機構を介して回転を入力されてベッドを横向に揺動させるので、油圧ポンプ等を使用しないことから揺動機構ひいては当該介護ベッド装置を電源のない場所で使用できるとともに安価に製造でき、しかも介護者が付き添っていなくても被介護者が自分でベッドを傾斜させて床擦れを防止することができる。
【００１２】
なお、本発明の揺動式介護ベッド装置においては、前記頭部支持台および前記胴部支持台を、その胴部支持台の前記脚部支持台寄りの端部付近を中心として水平位置と起き上がり位置との間で揺動させる起き上がり機構を具え、前記起き上がり機構が、被介護者の手が届く範囲に配置されて前記ベッドと一緒に揺動するとともに、被介護者の人力を入力されて回転する起き上がり用ハンドルと、前記起き上がり用ハンドルから伝動機構および減速機構を介して回転を入力されて前記頭部支持台および前記胴部支持台を揺動させる起き上がり駆動機構と、を有するものであると好ましい。
【００１３】
かかる構成によれば、ベッドに仰向けに寝た被介護者が、その手が届く範囲に配置されてベッドと一緒に揺動する起き上がり用ハンドルを掴んでその腕で回転させると、起き上がり駆動機構が、被介護者の人力を入力されて回転する起き上がり用ハンドルから、伝動機構および減速機構を介して回転を入力されて頭部支持台および胴部支持台を、その胴部支持台の脚部支持台寄りの端部付近を中心として水平位置と起き上がり位置との間で揺動させるので、油圧ポンプ等を使用しないことから起き上がり機構ひいては当該介護ベッド装置を電源のない場所で使用できるとともに安価に製造でき、しかも介護者が付き添っていなくても被介護者が自分でベッドの頭部支持台および胴部支持台を斜めに起こしたり水平に倒したりして床擦れを防止することができる。
【００１４】
また、本発明の揺動式介護ベッド装置においては、前記伝動機構は前記長手方向に延在する水平軸線周りに前記ベッドの揺動と独立して回転する伝動軸を持つリンク機構や歯車機構あるいは、ユニバーサルジョイントを持つ伝動軸で、ハンドルからの回転を基台側のベッド駆動機構や起き上がり駆動機構に伝動するものでも良いが、前記伝動機構は、柔軟な鞘管内に柔軟で捻り剛性の高いワイヤ等の伝動軸を収納したフレキシブルシャフトであると、簡易な構成でハンドルからの回転を基台側のベッド駆動機構や起き上がり駆動機構に伝動できるので好ましい。
【００１５】
さらに、本発明の揺動式介護ベッド装置においては、前記揺動用ハンドルおよび前記起き上がり用ハンドルの少なくとも一方の、前記ベッドに対する位置を調節するハンドル位置調節機構を具えると、ベッドを利用する被介護者が変わってもその被介護者の伸長や体格に合わせて手の届く位置に容易にハンドルを配置できるので好ましい。
【００１６】
さらに、本発明の揺動式介護ベッド装置においては、前記起き上がり機構の前記起き上がり用ハンドルは、前記ベッドに対する所定位置に支持されて被介護者の手が届く範囲に配置され、被介護者の人力を入力されて回転するものであると、起き上がり用ハンドルの、ベッドに対する位置を調節するハンドル位置調節機構や、伝動機構のフレキシブルシャフトが省略できるので、構成をさらに簡易にし得て当該介護ベッド装置をより安価に製造することができる。
【図面の簡単な説明】
【００１７】
【図１】本発明の揺動式介護ベッド装置の一実施例を示す平面図である。
【図２】上記実施例の揺動式介護ベッド装置を示す正面図である。
【図３】上記実施例の揺動式介護ベッド装置の中央部を切り出して示す側面図である。
【図４】上記実施例の揺動式介護ベッド装置の胴部支持台と脚部支持台との間の位置での断面を示す断面図である。
【図５】上記実施例の揺動式介護ベッド装置をベッドが横向きに傾斜した状態で示す、図４と同様の位置での断面図である。
【図６】上記実施例の揺動式介護ベッド装置を頭部支持台と胴部支持台とが斜めに起き上がった状態で示す、図３と同様の位置での側面図である。
【図７】本発明の揺動式介護ベッド装置の他の一実施例を示す平面図である。
【図８】上記実施例の揺動式介護ベッド装置を頭部支持台と胴部支持台とが斜めに起き上がった状態で示す、図３と同様の位置での側面図である。
【発明を実施するための形態】
【００１８】
以下、この発明の実施形態につき、図面に基づく実施例によって詳細に説明する。ここに、図１は、本発明の揺動式介護ベッド装置の一実施例を示す平面図、図２は、上記実施例の揺動式介護ベッド装置を示す、被介護者の足裏側から見た正面図、図３は、上記実施例の揺動式介護ベッド装置の中央部を切り出して示す側面図、図４は、上記実施例の揺動式介護ベッド装置の胴部支持台と脚部支持台との間の位置での断面を示す断面図、図５は、上記実施例の揺動式介護ベッド装置をベッドが横向きに傾斜した状態で示す、図４と同様の位置での断面図、そして図６は、上記実施例の揺動式介護ベッド装置を頭部支持台と胴部支持台とが斜めに起き上がった状態で示す、図３と同様の位置での側面図であり、図中、符号１は概略水平方向へ延在するベッド、２は矩形の枠状の基台、３は基台２の両短辺上に立設した門型の支柱、４はベッド１を支持するようにベッド１の延在方向両端部に固設した支持軸、そして５は支持軸４を回動自在に支持することでベッド１をその長手方向に延在する水平軸線周りに左右横向に揺動可能に支持するように支柱３の上端部に設けた軸受をそれぞれ示す。また、符号Ｐは被介護者を示す。
【００１９】
ここにおけるベッド１は、複数本の梁で連結されて梯子状の揺動台を構成する２本の桁６を有しており、２本の桁６上には、それらの桁６の両外側に位置する２本の角パイプ７で支持した胴部支持台としての胴部床板８を掛け渡して載置している。なお、この実施例では胴部床板８は、被介護者Ｐの頭部の下まで延在している。
【００２０】
９はベッド１を被介護者Ｐの足裏側から頭の方向へ見た場合に、胴部床板８の左側端部に上向きに突設した胴部側壁としての胴部側板であり、該胴部側板９は胴部床板８より短く、枕側の方が一部開けた状態に形成してある。また、胴部床板８の右側端部にも胴部床板８より短い胴部側壁としての胴部側板１０が上向きに突設されており、この胴部側板１０も同様に枕側の方が一部開けた状態に形成してある。その理由は、胴部側板９，１０が胴部床板８と同じ長さで形成されていると被介護者Ｐが箱の中に入るような状態になって非常に窮屈な思いをすることになるためであり、本実施例では上記のような問題を解決するために胴部側板９，１０を短くし、胴部側板９，１０と後述する頭部側板２１，２２との間に隙間を十分に開けて、その隙間から被介護者Ｐが腕を外に出せるようにしている。
【００２１】
また、胴部床板８より脚部側の部分の２本の桁６上には脚部支持台としての脚部床板１１を掛け渡して固定しており、脚部床板１１の両側端部には脚部側壁としての脚部側板１２を上向きに突設している。ここで、胴部側板９，１０は何れもベッド１の横方向に延在する長孔を有し、その長孔を貫通するボルト１３で胴部床板８に固定されているので、そのボルト１３を緩めて胴部側板９，１０を長孔に沿って移動させることで、被介護者Ｐの体格に応じてそれらの間隔を適宜調節することができる。また、胴部側板９，１０は何れも、ベッド１の長手方向へ延在する長孔を持つ添え板１４を有し、添え板１４はその長孔を貫通するボルト１５で胴部側板９，１０に固定されているので、そのボルト１５を緩めて添え板１４を長孔に沿って移動させることで、被介護者Ｐの身長や体格に応じて腕を外に出し易いようにそれらの添え板１４と上記頭部側板２１，２２との間の隙間を適宜調節することができる。そして胴部床板８の左右側方にはその胴部床板８と面一かつ一体的に縁板１６を固定する。これにより、被介護者Ｐは添え板１４と頭部側板２１，２２との間の隙間から外に出したその両腕を縁板１６上に載せていることができる。
【００２２】
本実施例ではさらに、胴部床板８の、被介護者Ｐの頭部の下に位置する部分の左側部に、上方を少し左側に傾けて頭部側壁としての頭部側板２１を立設し、また、胴部床板８の、被介護者Ｐの頭部の下に位置する部分の右側部の上にも、上方を少し右側に傾けて頭部側壁としての頭部側板２２を立設し、それらの頭部側板２１，２２に渡して頭部支持台としての枕受板２３を固定している。なお、これら頭部側板２１，２２および枕受板２３は、胴部床板８にベッド１の長手方向へ延在するように設けた長孔に貫通する固定用ボルトを緩めることにより、添え板１４と同様、被介護者Ｐの身長や体格に合わせて一体で移動させることができる。
【００２３】
本来、枕は健康な人でも安眠するためには重要なものであり、まして病人にとっては尚更重要なものであるところ、本実施例の介護ベッド装置は、ベッド１が横に傾く様に構成されていることから、ベッド１が横に傾くと左の頭部側板２１および右の頭部側板２２は枕の高さになるので、頭部側板２１および頭部側板２２の間隔を適度に設定することで、ベッド１の傾斜時にも、被介護者が頭部を適度な高さのそれら頭部側板２１，２２および枕受板２３に支持されて安眠することができる。また、頭部側板２１および頭部側板２２の間隔を適度に設定することで、被介護者の視界の圧迫感をなくすこともできる。
【００２４】
なお、枕受板２３上から頭部側板２１，２２上にかけては図示しない枕が設けられている。そして、胴部床板８上から胴部側板９，１０にかけておよび、脚部床板１１上から脚部側板１２にかけても、図示しないクッションマットが設けられて、被介護者の快適性を確保している。
【００２５】
さらに本実施例では、胴部床板８の下方で２本の桁６の下側に、各々ベッド１の左右方向へ延在する２本の梁部材３１をベッド１の長手方向に間隔を空けて配置して、それらの梁部材３１を２本の桁６に固定し、それらの梁部材３１の左右端部に支持ポスト３２，３３をそれぞれ立設して、それらの支持ポスト３２，３３の上端部の内側面に雌ネジ部材３４を固設する。また、図１では左側に位置する２本の支持ポスト３２上および図１では右側に位置する２本の支持ポスト３３の上方には、２つの前後位置調節機構３５をそれぞれ掛け渡して配置する。
【００２６】
ここにおける２つの前後位置調節機構３５は何れも、中央部に長手方向に長孔が空いた支持板３６の長手方向両端部の下面にＬ字状のブラケット３７をそれぞれ固設して、それらのブラケット３７に水平に貫通させた長ネジ３８をそれらのブラケット３７で回転自在に支持するとともにナット３９で抜け止めし、その長ネジ３８の中間部に螺合させた雌ネジ部材４０を支持板３６の長孔から上方に貫通させて、長ネジ３８の頭部をスパナ等で回転させることにより雌ネジ部材４０を支持板３６の長孔に沿って移動させるようにしたものであり、これら２つの前後位置調節機構３５は、そのＬ字状のブラケット３７に上から下に貫通させた長ネジ４１にブラケット３７の下側でワッシャ４２をネジ留めするとともに、それらの長ネジ４１を支持ポスト３２，３３の上端部の雌ネジ部材３４にそれぞれ螺合させることで、長ネジ４１の頭部をスパナ等で回転させることにより高さ調節可能としている。
【００２７】
これら２つの前後位置調節機構３５上には、２つの揺動限位置設定機構４３をそれぞれ配置しており、ここにおける２つの揺動限位置設定機構４３は何れも、上向きコ字状のフレーム４４の両端支持部に水平に貫通させたネジ軸４５をそれら両端支持部で回転自在に支持するとともに図示しないＣリング等で抜け止めし、そのネジ軸４５の中間部に螺合させた雌ネジ部材４６を、フレーム４４の両端支持部間に張り渡して固定した２本の案内軸４７で挟んで回り止めするとともに、そのネジ軸４５の端部付近に螺合させたダブルナットからなるストッパ４８で、雌ネジ部材４６の移動限位置ひいては後述のようにベッド１の左右揺動限位置および胴部床板８の上下揺動限位置をそれぞれ設定可能としている。
【００２８】
そして、図１では左側に位置する２本の支持ポスト３２上の前後位置調節機構３５の雌ネジ部材４０は、迫台４９およびそこに貫通させて設けたボルト５０を介して、図１では左側に位置する揺動限位置設定機構４３を水平回動自在に支持し、この左側に位置する揺動限位置設定機構４３はその一方の側面に固定したストッパ５１と他方の側面に回動自在に設けたフック５２とで迫台４９を挟むことで、図１に実線で示すとともに図２に示すようにベッド１の左右方向へ延在してベッド１上に迫り出す使用位置に固定でき、またフック５２を回して迫台４９から外すことで、図１に仮想線で示すとともに図４に示すようにベッド１の前後方向（長手方向）へ延在してベッド１上から外れる待機位置に回動させることができる。
【００２９】
しかして、図２では左側に位置する揺動限位置設定機構４３のネジ軸４５の一端部には揺動用ハンドル６１を固定する。支持ポスト３２の上端部の雌ネジ部材３４に螺合させた長ネジ４１は前後位置調節機構３５の高さを調節でき、前後位置調節機構３５はその雌ネジ部材４０で支持した揺動限位置設定機構４３を介して揺動用ハンドル６１の前後位置を調節できるので、これらはハンドル位置調節機構として機能する。
【００３０】
また、図１では左側に位置する揺動限位置設定機構４３のネジ軸４５の他端部には、柔軟な鞘管内に柔軟で捻り剛性の高いワイヤ等の伝動軸を収納した伝動機構としてのフレキシブルシャフト６２の一端部の伝動軸を結合し、このフレキシブルシャフト６２の他端部の伝動軸は、基台２に立設した支柱６３の上端部に設けた減速機構としての高減速比（例えば１／５０〜１／２００程度）の例えばウォームギヤ機構式の減速機６４の入力軸に結合し、この減速機６４の出力軸にはスプロケット６５を固定している。
【００３１】
さらに本実施例では、基台２の両短辺上および基台２の長手方向中間部の連結材上に設けた軸受６６で、ベッド１の支持軸４と平行に基台２の長手方向へ延在する中間軸６７を回転自在に支持し、その中間軸６７の中間部にスプロケット６８を固定し、このスプロケット６８と、減速機６４の出力軸に固定したスプロケット６５とにチェーン６９を巻き掛け、また中間軸６７の両端部にスプロケット７０を固定し、このスプロケット７０と、ベッド１の両端部の支持軸４に固定したスプロケット７１とにチェーン７２を巻き掛けることで、減速機６４の出力軸とベッド１の両端部の支持軸４とを駆動結合するベッド駆動機構を構成する。ここで、各チェーン６９，７２にはその張りを高めてベッド１の揺動の遊びをなくし、ベッド１が不安定にならないようにするテンショナ７３を設けてある。なお、図示例では各スプロケット６５，６８，７０，７１を互いに同一歯数のものとしてベッド駆動機構の減速比を１／１としているが、ベッド駆動機構の減速比を大きくして、減速機６４を減速比の小さいコンパクトなものとすることもできる。また、揺動用ハンドル６１とベッド１の両端部の支持軸４との間に介在する減速機６４とベッド駆動機構との全体の減速比をさらに大きくして、操作に時間がかかっても被介護者Ｐがさらに小さい力で揺動用ハンドル６１を回してベッド１を揺動させられるようにしても良い。
【００３２】
この一方、図１では右側に位置する２本の支持ポスト３３上の前後位置調節機構３５の雌ネジ部材４０は、図１では右側に位置する揺動限位置設定機構４３を、胴部床板８の上方から側方に外した位置に固定支持し、この右側に位置する揺動限位置設定機構４３のネジ軸４５の一端部には起き上がり用ハンドル８１を固定する。これにより、支持ポスト３３の上端部の雌ネジ部材３４に螺合させた長ネジ４１は前後位置調節機構３５の高さを調節でき、前後位置調節機構３５はその雌ネジ部材４０で支持した揺動限位置設定機構４３を介して起き上がり用ハンドル８１の前後位置を調節できるので、これらもハンドル位置調節機構として機能する。
【００３３】
また、図１では右側に位置する揺動限位置設定機構４３のネジ軸４５の他端部には、柔軟な鞘管内に柔軟で捻り剛性の高いワイヤ等の伝動軸を収納した伝動機構としてのもう１本のフレキシブルシャフト８２の一端部の伝動軸を結合し、このフレキシブルシャフト８２の他端部の伝動軸は、胴部床板８の下方で各々ベッド１の左右方向へ延在する２本の梁部材３１のうちの、脚部床板１１に近い方の梁部材３１上に設けた減速機構としての高減速比（例えば１／５０〜１／２００程度）の例えばウォームギヤ機構式のもう１つの減速機８３の入力軸に結合し、この減速機８３の出力軸にはジョイント８４を介して支持軸８５を固定している。
【００３４】
支持軸８５は２本の桁６に回動自在に貫通させており、この支持軸８５にはその軸線方向へ延在するとともに互いに対抗する２平面を面取り加工し、それらの平面の一方は胴部床板８の、脚部床板１１に近い方の端部の下面に当接させ、またそれらの平面の他方には２枚の挟み板８６を当接させ、この支持軸８５の周面には２本の角パイプ７の端部を当接させ、２枚の挟み板８６をそれらの角パイプ７の下面に沿ってそれぞれ延在させ、それらの挟み板８６に貫通させた複数本のボルトを支持軸８５と角パイプ７とに貫通させて胴部床板８に螺着することで、それらの挟み板８６と胴部床板８の下面とで支持軸８５の２平面を挟持して、支持軸８５を胴部床板８の上記端部に強固に結合する。このようにしてここでは、ジョイント８４を介して胴部床板８の上記端部に強固に結合した支持軸８５により起き上がり駆動機構を構成する。
【００３５】
従って、本実施例の揺動式介護ベッド装置によれば、長手方向に延在する水平軸線周りに横向に揺動可能に基台２によって支持されたベッド１が有する枕受板２３と胴部床板８と脚部床板１１とが、ベッド１に仰向けに寝た被介護者Ｐの少なくとも頭部と胴部と脚部とをそれぞれ支持した状態で、揺動用ハンドル６１と、その揺動用ハンドル６１からフレキシブルシャフト６２および減速機６３を介して回転を入力される上記ベッド駆動機構とを有する揺動機構が、ベッド１をその長手方向に延在する水平軸線周りに図５中矢印で示すように横向に揺動させて、枕受板２３と胴部床板８と脚部床板１１とを左右の横向に例えば３０度程度まで傾斜させるので、被介護者Ｐが寝返りを打ったのと同じように被介護者Ｐの被圧迫部位を反対側へ移す効果があり、これにより被介護者のＰ床擦れを有効に防止することができる。もちろん被介護者Ｐは、ベッドの傾斜を助けにして実際に寝返りを打っても良い。
【００３６】
しかも本実施例の揺動式介護ベッド装置によれば、ベッド１を揺動させて枕受板２３と胴部床板８と脚部床板１１とを横向に傾斜させた際に、枕受板２３の両側に立設された頭部側板２１，２２がベッド１に仰向けに寝た被介護者Ｐの頭部を支持し、胴部床板８の両側端部に立設された胴部側板９，１０および添え板１４がベッド１に仰向けに寝た被介護者Ｐの胴部を支持し、脚部床板１１の両側端部に立設された脚部側板１２がベッド１に仰向けに寝た被介護者Ｐの脚部を支持するので、被介護者Ｐはベッド１からずれ落ちることがなく、それゆえ被介護者Ｐは、ベッド１から落下する恐怖を覚えることなく安心してベッド１を傾斜させることができる。
【００３７】
そして本実施例の揺動式介護ベッド装置によれば、ベッド１に仰向けに寝た被介護者Ｐが、その手が届く範囲に配置されてベッド１と一緒に揺動する揺動用ハンドル６１を掴んでその腕で回転させると、ベッド駆動機構が、被介護者Ｐの人力を入力されて回転する揺動用ハンドル６１から、フレキシブルシャフト６２および減速機６３を介して回転を入力されてベッド１を横向に揺動させるので、油圧ポンプ等を使用しないことから揺動機構ひいては当該介護ベッド装置を電源のない場所で使用できるとともに安価に製造でき、しかも介護者が付き添っていなくても被介護者Ｐが自分でベッド１を傾斜させて床擦れを防止することができる。
【００３８】
さらに本実施例の揺動式介護ベッド装置によれば、胴部床板８をその上の枕受板２３と一緒に、その胴部床板８の脚部床板１１寄りの端部付近を中心として図３に示す水平位置と図６に示す起き上がり位置との間で図中矢印で示すように揺動させる起き上がり機構を具えることから、ベッド１に仰向けに寝た被介護者Ｐが、その手が届く範囲に配置されてベッド１と一緒に揺動する起き上がり用ハンドル８１を掴んでその腕で回転させると、起き上がり駆動機構が、被介護者Ｐの人力を入力されて回転する起き上がり用ハンドル８１からフレキシブルシャフト８２および減速機８３介して回転を入力されて胴部床板８をその上の枕受板２３と一緒に、その胴部床板８の脚部床板１１寄りの端部付近を中心として水平位置と起き上がり位置との間で揺動させるので、油圧ポンプ等を使用しないことから起き上がり機構ひいては当該介護ベッド装置を電源のない場所で使用できるとともに安価に製造でき、しかも介護者が付き添っていなくても被介護者Ｐが自分でベッド１の胴部床板８をその上の枕受板２３と一緒に斜めに起こしたり水平に倒したりして床擦れを防止することができる。
【００３９】
さらに本実施例の揺動式介護ベッド装置によれば、前記伝動機構は、柔軟な鞘管内に柔軟で捻り剛性の高いワイヤ等の伝動軸を収納したフレキシブルシャフト６２，８２であるので、簡易な構成でハンドル６１，８１からの回転を基台２側のベッド駆動機構や起き上がり駆動機構に伝動することができる。
【００４０】
さらに本実施例の揺動式介護ベッド装置によれば、揺動用ハンドル６１および起き上がり用ハンドル８１の両方の、ベッド１に対する位置をそれぞれ調節するハンドル位置調節機構を具えていることから、ベッド１を利用する被介護者Ｐが変わってもその被介護者Ｐの伸長や体格に合わせて手の届く位置に容易にハンドル６１，８１を配置することができる。
【００４１】
図７は、本発明の揺動式介護ベッド装置の他の一実施例を示す平面図、図８は、上記実施例の揺動式介護ベッド装置を頭部支持台と胴部支持台とが斜めに起き上がった状態で示す、図３と同様の位置での側面図であり、図中、先の実施例と同様の部分はそれと同一の符号にて示す。すなわち、本実施例の揺動式介護ベッド装置では、起き上がり機構の起き上がり用ハンドル８１は、ベッド１に対する所定位置に支持されて被介護者Ｐの手が届く範囲に配置され、被介護者Ｐの人力を入力されて回転するものである。
【００４２】
ここで、起き上がり機構は、梁部材３１上に設けた減速機８３の入力軸に起き上がり用ハンドル８１を直接結合して起き上がり用ハンドル８１をベッド１に対する所定位置に支持するとともに、その起き上がり用ハンドル８１に傘状の手置き部材８７を設けて起き上がり用ハンドル８１を掴み易くし、この減速機８３の出力軸には図示しないテンショナを持つチェーン式伝動機構８８を介して支持軸８５を駆動結合し、支持軸８５は２本の桁６で回動自在に支持している。そして、胴部床板８の左右側方に位置する縁板１６は、その胴部床板８と別体として図示しない支持部材により桁６に固定する。
【００４３】
この実施例の揺動式介護ベッド装置によれば、先の実施例と同様の効果に加えて、起き上がり用ハンドル８１の、ベッド１に対する位置を調節するハンドル位置調節機構や、伝動機構のフレキシブルシャフト８２が省略できるので、構成をさらに簡易にし得て当該介護ベッド装置をより安価に製造することができる。なお、図示していないが上記各実施例では、ハンドル位置調節機構やチェーン式伝動機構等の可動部分にカバーを設けて、被介護者Ｐの衣服等やその他の異物の挟み込みを防止する。
【００４４】
以上、図示例に基づき説明したが、本発明は上述の例に限定されるものでなく請求の範囲の記載範囲内で適宜変更し得るものであり、例えば、前記伝動機構は前記長手方向に延在する水平軸線周りに前記ベッドの揺動と独立して回転する伝動軸を持つリンク機構や歯車機構あるいは、ユニバーサルジョイントを持つ伝動軸で、ハンドルからの回転を基台側のベッド駆動機構や起き上がり駆動機構に伝動するものでも良い。
【００４５】
また起き上がり機構は、揺動限位置設定機構４３に代えてまたは加えて、角パイプ７と桁６との間を連結するロープやワイヤあるいはチェーン等を設けて胴部床板８の起き上がり角度の上限を８０度程度に規制しても良い。
【００４６】
さらに胴部床板８に、左右方向に安全ベルトを渡して、被介護者Ｐが誤ってベッド１から落下しないようにしても良い。さらにベッド１上の被介護者の排便処理や排尿処理を容易にするために、胴部側板９，１０の基部等に開口部を設けても良く、胴部側板９，１０を蝶番で可倒式にしたり、着脱可能にしたりしても良い。
【産業上の利用可能性】
【００４７】
かくして本発明の揺動式介護ベッド装置によれば、長手方向に延在する水平軸線周りに横向に揺動可能に基台によって支持されたベッドが有する頭部支持台と胴部支持台と脚部支持台とが、ベッドに仰向けに寝た被介護者の少なくとも頭部と胴部と脚部とをそれぞれ支持した状態で、揺動機構が、ベッドをその長手方向に延在する水平軸線周りに横向に揺動させて頭部支持台と胴部支持台と脚部支持台とを左右の横向に例えば３０度程度まで傾斜させるので、被介護者が寝返りを打ったのと同じように被介護者の被圧迫部位を反対側へ移す効果があり、これにより被介護者の床擦れを有効に防止することができる。もちろん被介護者は、ベッドの傾斜を助けにして実際に寝返りを打っても良い。
【００４８】
しかも本発明の揺動式介護ベッド装置によれば、ベッドを揺動させて頭部支持台と胴部支持台と脚部支持台とを横向に傾斜させた際に、頭部支持台の両側端部に立設された頭部側壁がベッドに仰向けに寝た被介護者の頭部を支持し、胴部支持台の両側端部に立設された胴部側壁がベッドに仰向けに寝た被介護者の胴部を支持し、脚部支持台の両側端部に立設された脚部側壁がベッドに仰向けに寝た被介護者の脚部を支持するので、被介護者はベッドからずれ落ちることがなく、それゆえ被介護者は、ベッドから落下する恐怖を覚えることなく安心してベッドを傾斜させることができる。
【００４９】
そして本発明の揺動式介護ベッド装置によれば、ベッドに仰向けに寝た被介護者が、その手が届く範囲に配置されてベッドと一緒に揺動する揺動用ハンドルを掴んでその腕で回転させると、ベッド駆動機構が、被介護者の人力を入力されて回転する揺動用ハンドルから、伝動機構および減速機構を介して回転を入力されてベッドを横向に揺動させるので、油圧ポンプ等を使用しないことから揺動機構ひいては当該介護ベッド装置を電源のない場所で使用できるとともに安価に製造でき、しかも介護者が付き添っていなくても被介護者が自分でベッドを傾斜させて床擦れを防止することができる。
【符号の説明】
【００５０】
１  ベッド
２  基台
３  支柱
４  支持軸
５  軸受
６  桁
７  角パイプ
８  胴部床板
９，１０  胴部側板
１１  脚部床板
１２  脚部側板
１３  ボルト
１４  添え板
１５  ボルト
１６  縁板
２１，２２  頭部側板
２３  枕受板
３１  梁部材
３２，３３  支持ポスト
３４，４０，４６  雌ネジ部材
３５  前後位置調節機構
３６  支持板
３７  ブラケット
３８，４１  長ネジ
３９  ナット
４２  ワッシャ
４３  揺動限位置設定機構
４４  フレーム
４５  ネジ軸
４７  案内軸
４８，５１  ストッパ
４９  迫台
５０  ボルト
５２  フック
６１  揺動用ハンドル
６２，８２  フレキシブルシャフト
６３  支柱
６４，８３  減速機
６５，６８，７０，７１  スプロケット
６６  軸受
６７  中間軸
６９，７２  チェーン
７３  テンショナ
８１  起き上がり用ハンドル
８４  ジョイント
８５  支持軸
８６  挟み板
８７  手置き部材
８８  チェーン式伝動機構
Ｐ  被介護者
【図１】
2013132399.tif 000003
【図２】
2013132399.tif 000004
【図３】
2013132399.tif 000005
【図４】
2013132399.tif 000006
【図５】
2013132399.tif 000007
【図６】
2013132399.tif 000008
【図７】
2013132399.tif 000009
【図８】
2013132399.tif 000010
【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
被介護者の頭部を支持する頭部支持台、被介護者の胴部を支持する胴部支持台および、被介護者の脚部を支持する脚部支持台と、
前記各支持台の両側端部にそれぞれ立設された、前記頭部支持台が斜め横向きに揺動した状態で被介護者の頭部を支持する頭部側壁、前記胴部支持台が斜め横向きに揺動した状態で被介護者の胴部を支持する胴部側壁および、前記脚部支持台が斜め横向きに揺動した状態で被介護者の脚部を支持する脚部側壁と、
を有するベッドと、
前記ベッドをその長手方向に延在する水平軸線周りに横向に揺動可能に支持する基台と、
前記ベッドをその長手方向に延在する前記水平軸線周りに横向に揺動させる揺動機構と、
揺動用ハンドル位置調節機構と、
を具えてなり、
前記揺動機構は、
被介護者の手が届く範囲に配置されて前記ベッドと一緒に揺動するとともに、被介護者の人力を入力されて回転する揺動用ハンドルと、
前記揺動用ハンドルから伝動機構および減速機構を介して回転を入力されて前記ベッドを横向に揺動させるベッド駆動機構と、
を有するものであり、
前記揺動用ハンドル位置調節機構は、前記揺動用ハンドルの、前記ベッドに対する位置を調節するものである揺動式介護ベッド装置。
【請求項２】
前記頭部支持台および前記胴部支持台をその胴部支持台の、前記脚部支持台寄りの端部付近を中心として水平位置と起き上がり位置との間で揺動させる起き上がり機構を具え、
前記起き上がり機構は、
被介護者の手が届く範囲に配置されて前記ベッドと一緒に揺動するとともに、被介護者の人力を入力されて回転する起き上がり用ハンドルと、
前記起き上がり用ハンドルから伝動機構および減速機構を介して回転を入力されて前記頭部支持台および前記胴部支持台を揺動させる起き上がり駆動機構と、
を有するものである、請求項１に記載の揺動式介護ベッド装置。
【請求項３】
前記伝動機構はフレキシブルシャフトであることを特徴とする、請求項１または２記載の揺動式介護ベッド装置。
【請求項４】
前記起き上がり用ハンドルの、前記ベッドに対する位置を調節する起き上がり用ハンドル位置調節機構を具えることを特徴とする、請求項２記載の揺動式介護ベッド装置。
【請求項５】
前記起き上がり機構の前記起き上がり用ハンドルは、前記ベッドに対する所定位置に支持されて被介護者の手が届く範囲に配置され、被介護者の人力を入力されて回転するものである、請求項２記載の揺動式介護ベッド装置。
【手続補正２】
【補正対象書類名】明細書
【補正対象項目名】０００８
【補正方法】変更
【補正の内容】
【０００８】
即ち、本発明の揺動式介護ベッド装置は、被介護者の頭部を支持する頭部支持台、被介護者の胴部を支持する胴部支持台および、被介護者の脚部を支持する脚部支持台と、前記各支持台の両側端部にそれぞれ立設された、前記頭部支持台が斜め横向きに揺動した状態で被介護者の頭部を支持する頭部側壁、前記胴部支持台が斜め横向きに揺動した状態で被介護者の胴部を支持する胴部側壁および、前記脚部支持台が斜め横向きに揺動した状態で被介護者の脚部を支持する脚部側壁と、を有するベッドと、前記ベッドをその長手方向に延在する水平軸線周りに横向に揺動可能に支持する基台と、前記ベッドをその長手方向に延在する前記水平軸線周りに横向に揺動させる揺動機構と、揺動用ハンドル位置調節機構と、を具えてなり、前記揺動機構は、被介護者の手が届く範囲に配置されて前記ベッドと一緒に揺動するとともに、被介護者の人力を入力されて回転する揺動用ハンドルと、前記揺動用ハンドルから伝動機構および減速機構を介して回転を入力されて前記ベッドを横向に揺動させるベッド駆動機構と、を有するものであり、前記揺動用ハンドル位置調節機構は、前記揺動用ハンドルの、前記ベッドに対する位置を調節するものであることを特徴とするものである。
【手続補正３】
【補正対象書類名】明細書
【補正対象項目名】００１１
【補正方法】変更
【補正の内容】
【００１１】
そして本発明の揺動式介護ベッド装置によれば、ベッドに仰向けに寝た被介護者が、その手が届く範囲に配置されてベッドと一緒に揺動する揺動用ハンドルを掴んでその腕で回転させると、ベッド駆動機構が、被介護者の人力を入力されて回転する揺動用ハンドルから、伝動機構および減速機構を介して回転を入力されてベッドを横向に揺動させるので、油圧ポンプ等を使用しないことから揺動機構ひいては当該介護ベッド装置を電源のない場所で使用できるとともに安価に製造でき、しかも介護者が付き添っていなくても被介護者が自分でベッドを傾斜させて床擦れを防止することができる。
さらに本発明の揺動式介護ベッド装置によれば、前記揺動用ハンドルの、前記ベッドに対する位置を調節する揺動用ハンドル位置調節機構を具えているので、ベッドを利用する被介護者が変わってもその被介護者の伸長や体格に合わせて手の届く位置に容易にハンドルを配置することができる。
【手続補正４】
【補正対象書類名】明細書
【補正対象項目名】００１５
【補正方法】変更
【補正の内容】
【００１５】
さらに、本発明の揺動式介護ベッド装置においては、前記起き上がり用ハンドルの、前記ベッドに対する位置を調節する起き上がり用ハンドル位置調節機構を具えると、ベッドを利用する被介護者が変わってもその被介護者の伸長や体格に合わせて手の届く位置に容易にハンドルを配置できるので好ましい。
【手続補正５】
【補正対象書類名】明細書
【補正対象項目名】００２９
【補正方法】変更
【補正の内容】
【００２９】
しかして、図２では左側に位置する揺動限位置設定機構４３のネジ軸４５の一端部には揺動用ハンドル６１を固定する。支持ポスト３２の上端部の雌ネジ部材３４に螺合させた長ネジ４１は前後位置調節機構３５の高さを調節でき、前後位置調節機構３５はその雌ネジ部材４０で支持した揺動限位置設定機構４３を介して揺動用ハンドル６１の前後位置を調節できるので、これらは揺動用ハンドル位置調節機構として機能する。
【手続補正６】
【補正対象書類名】明細書
【補正対象項目名】００３２
【補正方法】変更
【補正の内容】
【００３２】
この一方、図１では右側に位置する２本の支持ポスト３３上の前後位置調節機構３５の雌ネジ部材４０は、図１では右側に位置する揺動限位置設定機構４３を、胴部床板８の上方から側方に外した位置に固定支持し、この右側に位置する揺動限位置設定機構４３のネジ軸４５の一端部には起き上がり用ハンドル８１を固定する。これにより、支持ポスト３３の上端部の雌ネジ部材３４に螺合させた長ネジ４１は前後位置調節機構３５の高さを調節でき、前後位置調節機構３５はその雌ネジ部材４０で支持した揺動限位置設定機構４３を介して起き上がり用ハンドル８１の前後位置を調節できるので、これらは起き上がり用ハンドル位置調節機構として機能する。